(57)【要約】【課題】操作の利便性が高く、光の装飾性を容易に用い得てデザイン的にもより好ましい構成のハーフミラースイッチ、及び冷温庫を提供する。【解決手段】本考案の冷温庫は、冷却保温または加熱保温が可能である冷温庫であって、所定の物品を収容し得る互いに断熱部で隔離された複数の冷温スペースと、複数の冷温スペースに対し個々に開閉可能であるとともに、少なくとも一部表面に、ハーフミラー４５，４６を有する複数の開閉ドア４３，４４とを備え、各開閉ドア４３，４４のハーフミラー４５，４６に、冷温スペースの冷温を制御するハーフミラースイッチ５１〜５４、５６〜５９と、冷温スペース内の温度を数値表示する表示手段５５，６１とを有する。【選択図】    図３
0003130225.tif 000002
【実用新案登録請求の範囲】
【請求項１】
ハーフミラーの構成を有するタッチ部と、
ハーフミラーの前記タッチ部の周囲における金属粉のない絶縁領域と、
前記タッチ部の裏面側に接続された通電体と、
前記金属粉のない絶縁領域の裏面側に塗布された非高反射性又は高反射性の塗料と、
を有することを特徴とするハーフミラースイッチ。
【請求項２】
冷却保温または加熱保温が可能である冷温庫であって、
所定の物品を収容し得る互いに断熱部で隔離された複数の冷温スペースと、
前記複数の冷温スペースに対し個々に開閉可能であるとともに、少なくとも一部表面に、ハーフミラーを有する複数の開閉ドアと、
を備え、
前記各開閉ドアの前記ハーフミラーに、前記冷温スペースの冷温を制御する請求項１に記載のハーフミラースイッチと、前記冷温スペース内の温度を数値表示する表示領域と
を有することを特徴とする冷温庫。
【請求項３】
前記ハーフミラースイッチとして、自身が構造的に関係する前記冷温スペースに対し、温度上昇、温度降下、冷暖設定の決定、及び電源ＯＮ／ＯＦＦを行い得る４種のハーフミラースイッチを用いることを特徴とする請求項２に記載の冷温庫。
【請求項４】
前記ハーフミラーの少なくとも任意の一部領域の裏面側にバックライトを有することを特徴とする請求項２又は３に記載の冷温庫。
【請求項５】
前記ハーフミラーの前記各ハーフミラースイッチの操作に応じて、前記数値表示の制御、前記各冷温スペースの温度制御、及び前記バックライトの発光制御を行う制御部を備えることを特徴とする請求項２乃至４の何れかに記載の冷温庫。
【請求項６】
前記冷温を直接的に制御するデバイスに、冷却及び加熱が可能である電子素子を用いることを特徴とする請求項２乃至５の何れかに記載の冷温庫。
【請求項７】
冷却保温または加熱保温が可能である冷温庫であって、
所定の物品を収容し得る互いに断熱部で隔離された複数の冷温スペースと、
前記複数の冷温スペースに対し個々に開閉可能な扉を有することを特徴とする冷温庫。
【考案の詳細な説明】
【技術分野】
【０００１】
本考案は、デザイン的に好ましい構成のハーフミラースイッチ、及び、飲料等の物品を冷却して保温したり加熱して保温したりする機能性を有し、しかも持ち運びに便利である保温庫に関する。
【背景技術】
【０００２】
保温庫は、書斎や子供部屋等に少ないスペースで手軽に使用できるため、今後も一般に広く普及してゆくであろうことは多くの人にとって容易に予想し得るものである。
従来の保温庫には、例えば、物品の出し入れの際の冷気又は暖気の流出を有効に抑え、庫内に収納されている物品に対する雰囲気温度の変動を抑制するというものが知られている（特許文献１）。
その冷温庫は、物品を出し入れするための複数の保温スペースの開口部の上部及び下部に各々ロールカーテンを設け、ロールカーテンを上方から下方に向けて、又は下方から上方に向けて選択的引き出すことで各保温スペースの開口部を閉塞する。
【０００３】
【特許文献１】特開２００２−１１５９５９号公報
【考案の開示】
【考案が解決しようとする課題】
【０００４】
上記従来の冷温庫は、複数の保温スペースの開口部にロールカーテンを用いる。しかし、各保温スペース内の温度制御を操作するスイッチ類を、直接的にロールカーテンに構成するということは当然に難しく、このため種々の操作性の利便性は低いという欠点があった。
しかも、開口部にロールカーテンを用いるため、冷温庫として、光の装飾性をデザイン的に好ましい状態で備えるということも非常に困難であり、デザイン性の面でも不十分なものであった。
【０００５】
本考案は、上記従来の技術の問題点を解決し、温度設定等の操作の利便性が高く、しかも光の装飾性を容易に用い得てデザイン的にもより好ましい構成のハーフミラースイッチ、及び冷温庫を提供することを目的とする。
【０００６】
また、例えばそれぞれを温と冷で使用する場合、弁当とお茶、夜食とビールのように同時に必要な温と冷を適温な状態にすることができる。
そして、冷と冷や温と温のようにどちらも冷やどちらも温といった場合も温度を細かく設定できるので1台で2つの環境を作り出すことができる。  
おしぼりで冷たいものと暖かいものが同時にできると便利であり、その作り出される環境も自由な温度設定によって、組み合わせパターンは無限大となる利点がある。
【課題を解決するための手段】
【０００７】
上記目的を達成するため、本考案のハーフミラースイッチは、ハーフミラーの構成を有するタッチ部と、ハーフミラーの前記タッチ部の周囲における金属粉のない絶縁領域と、前記タッチ部の裏面側に接続された通電体と、前記金属粉のない絶縁領域の裏面側に塗布された非高反射性又は高反射性の塗料とを有することを特徴とする。
【０００８】
一方、本考案の冷温庫は、冷却保温または加熱保温が可能である冷温庫であって、所定の物品を収容し得る互いに断熱部で隔離された複数の冷温スペースと、前記複数の冷温スペースに対し個々に開閉可能であるとともに、少なくとも一部表面に、ハーフミラーを有する複数の開閉ドアと、を備え、前記各開閉ドアの前記ハーフミラーに、前記冷温スペースの冷温を制御する請求項１又は２記載の上記ハーフミラースイッチと、前記冷温スペース内の温度を数値表示する表示領域とを有することを特徴とする。
また、本考案の冷温庫は、前記ハーフミラースイッチとして、自身が構造的に関係する前記冷温スペースに対し、温度上昇、温度降下、冷暖設定の決定、及び電源ＯＮ／ＯＦＦを行い得る４種のハーフミラースイッチを用いることを特徴とする。
また、本考案の冷温庫は、前記ハーフミラーの少なくとも任意の一部領域の裏面側にバックライトを有することを特徴とする。
また、本考案の冷温庫は、前記ハーフミラーの前記各ハーフミラースイッチの操作に応じて、前記数値表示の制御、前記各冷温スペースの温度制御、及び前記バックライトの発光制御を行う制御部を備えることを特徴とする。
また、本考案の冷温庫は、前記冷温を直接的に制御するデバイスに、冷却及び加熱が可能である電子素子を用いることを特徴とする。
【０００９】
さらに、本考案の冷温庫は、冷却保温または加熱保温が可能である冷温庫であって、所定の物品を収容し得る互いに断熱部で隔離された複数の冷温スペースと、前記複数の冷温スペースに対し個々に開閉可能であることを特徴とする。
【考案の効果】
【００１０】
本考案によれば、温度設定等の操作の利便性が高く、しかも光の装飾性でデザイン的にもより好ましい構成のハーフミラースイッチ、及び冷温庫を提供することができる。
【考案を実施するための最良の形態】
【００１１】
以下、図面を参照して、本考案に係るハーフミラースイッチの実施の形態について説明する。図１は、本実施の形態のハーフミラースイッチ１の構成を説明する説明図であり、図１（ａ）は正面図、図１（ｂ）は裏面図、図１（ｃ）は断面図を示す。
ハーフミラースイッチ１は、図１（ａ）、（ｂ）、（ｃ）に示すように、例えば板状の硝子等の絶縁体１１の表面にアルミニウム等の金属粉を蒸着したハーフミラー１２に対して構成されている。
即ち、ハーフミラー１２には、例えば円形状の領域に同じく金属粉を蒸着したハーフミラーの構成を有するタッチ部１３が構成されている（図１（ａ）、（ｃ）参照）。
ハーフミラー１２において、タッチ部１３の周囲のリング状の適宜の領域（図１（ａ）参照）には金属粉が存在しない絶縁領域１４が構成されている。絶縁領域１４は、硝子等の絶縁体１１がリング状に外界に露見されることで構成されている。
このため、ハーフミラー１２の例えば全体と、ハーフミラーの構成を有するタッチ部１３との間は、金属粉が存在しない空気絶縁の状態にあり、しかも双方１２，１３の裏面は、硝子等の絶縁体１１により絶縁されている。
【００１２】
ハーフミラー１２の背面においてリング状の絶縁領域１４に相当する領域には、非高反射性又は高反射性の塗料１２Ａが塗布されている。本例では、高反射性のシルバー色の塗料が塗布されている（図１（ｂ）参照）。
高反射性のシルバー色の塗料を用いる場合、円形状のタッチ部１３とリング状の絶縁領域１４との関係は一見してわかり難い。
タッチ部１３の領域を一見してわかり易くするためには、ハーフミラー１２において絶縁領域１４の縁に相当する部分、もしくはタッチ部１３の縁に相当する部分に見易い色を装飾するという態様がある。
しかし、リング状の絶縁領域１４に高反射性のシルバー色の塗料を用いず、ハーフミラー１２の表面色と相違する色の塗料を用いることでも、タッチ部１３の領域を一見してわかり易くすることが可能である。ただしリング状の絶縁領域１４にはＬＥＤ等の発光の透過性を与えても良い。
【００１３】
一方、硝子等の絶縁体１１は、ハーフミラー１２全体と同一の形状の平板状の構成を有するか、もしくはハーフミラー１２よりも大きな形状の平板状の構成を有し、ハーフミラー１２の基板としての役割を兼ねる。
硝子等の絶縁体１１において、円形状のタッチ部１３の裏面に相当する位置には、少なくとも２つのスリット１４Ｂが形成されており、詳しくは後述する端子が各スリット１４Ｂに深く挿通されてタッチ部１３の裏面に直接的に電気的に接続されている。
また、硝子等の絶縁体１１は、基盤１５により密接的に保持されることで所望の方向に向けられた状態を維持する。本例では、硝子等の絶縁体１１は、垂直姿勢の基盤１５に保持されて垂直の姿勢を保つ。
基盤１５において絶縁体１１の各スリット１４Ｂ位置に相当する２箇所の位置にも同形状のスリット１６が形成されており、各スリット１４Ｂ，１６に端子２１が圧入固定、もしくは導電性接着剤等により挿通固定されている。
【００１４】
各端子２１は、各スリット１４Ｂ，１６に深く挿通固定されることでハーフミラーの構成を有する円形状のタッチ部１３の裏面に電気的に安定して接続されている。
各端子２１には通電体としての配線２２が接続されており、円形状のタッチ部１３は、各配線２２を介して詳しくは図示しない電源部又は制御部、もしくは発光ＬＥＤ等の電源駆動対象との間に電気的な接続関係を発生し得る。
例えば、タッチ部１３に人の指が接触すると、タッチ部１３を通過する人の静電気を介して各端子２１が導通状態となるため、例えば制御部等の起動を介して電源駆動対象が駆動する。
なお、電源駆動対象には、詳しくは後述する冷温庫に用いる電子素子としてのペルチェ素子を用いることも好ましい。また、端子２１や配線の構成は上述の構成に限定されるものではなく、任意の構成を用いて良い。
本実施例のハーフミラースイッチ１は、操作の利便性が高く、しかも光の装飾性を与えることが容易であり、デザイン的にもより好ましい構成を実現することができる。
【００１５】
次に、図面を参照して、本考案に係る冷温庫の実施の形態について説明する。図２は、本実施の形態の冷温庫２のドア開状態の外観構成を説明する斜視図であり、図３は、本実施の形態の冷温庫２のドア閉状態の内観構成を説明する斜視図である。
冷温庫２は、冷温庫本体３１を備える。冷温庫本体３１は、水平の対向する２方向を囲む左右の側壁体３２と、背面を囲む背面壁体３３と、上面を囲む上面壁体３４と、底面を構成する底面壁体３５とを有する。
また、冷温庫本体３１は、冷温庫本体３１内の上下に所定の物品としての飲料ボトルや飲料缶を収容し得る２つの冷温スペース４１，４２を構成するための水平区画壁体３６を上下の中央の位置に有する。
【００１６】
冷温庫本体３１を構成する上記各壁体３２，３３，３４，３５，３６は、各々、中空の空間を囲うように所定の厚さを有している。
上記各壁体３２，３３，３４，３５，３６の各々の中空の空間内には断熱材の一例としての例えば発泡スチロール体が収容されているため、上記各壁体３２，３３，３４，３５，３６の各々は断熱性が高められている。
断熱性の向上は、水平区画壁体３６を中心とする上下２つの冷温スペース４１，４２の断熱性及び保温性を高める。なお、水平区画壁体３６の厚さは２ｃｍ以上あることが好ましく、冷温庫本体３１の材質には例えば樹脂や金属等を用いることが好ましい。
【００１７】
冷温庫本体３１は、以上の構成により隔離された上下２つの冷温スペース４１，４２を有するとともに、冷温庫本体３１の前面側には２つの冷温スペース４１，４２の開放口４１Ａ，４２Ａが構成されている。
冷温庫本体３１の図示右側の側壁体３２の各開放口４１Ａ，４２Ａ側の位置には、図２、図３に示すように、例えば蝶番等の開閉手段を介して各開放口４１Ａ，４２Ａ毎に開閉ドア（上記実施の形態の基盤に相当）４３，４４が開閉可能に装着されている。
各開閉ドア４３，４４は、各々個別に、冷温スペース４１，４２の開放口４１Ａ，４２Ａを開閉することが可能である。
即ち開閉ドア４３は、冷温スペース４１の開放口４１Ａを完全に開いたり完全に閉じたりすることが可能であり、開閉ドア４４は、冷温スペース４２の開放口４２Ａを完全に開いたり完全に閉じたりすることが可能である。
【００１８】
開閉ドア４３，４４も、各々、中空の空間を囲うように所定の厚さを有しており、各々の中空の空間内には断熱材の一例としての例えば発泡スチロール体が収容されている。
なお、開閉ドア４３，４４の内側で冷温庫本体３１の各開放口４１Ａ，４２Ａの周囲の部分に当たる位置には、例えばゴム等の弾性体が装着されており、開閉ドア４３，４４を全閉した際には、各開放口４１Ａ，４２Ａの高い密閉性を保つことが可能である。
一方、冷温庫本体３１の図示左側の側壁体３２の開放口４１Ａ，４２Ａ側の位置には、詳しくは図示しないが、永久磁石が装着されており、永久磁石の引力により開閉ドア４３，４４の全閉状態を維持することが可能である。
開閉ドア４３，４４の全閉状態では、冷温スペース４１，４２の全閉状態が維持されるものとなり、冷温スペース４１，４２内の冷却効率、又は加温効率が高められる。
一方、冷温庫本体３１の外観の上面には、持ち運びに便利であるように回動式の取っ手３１Ａが構成されている。
【００１９】
各開閉ドア４３，４４の少なくとも一部表面には、図３に示すように、各々ハーフミラー４５，４６が装着されている。
各開閉ドア４３，４４のハーフミラー４５，４６は、例えば絶縁体ともなる硝子板の表面にアルミニウム等の金属粉を蒸着させた構成を有する。
【００２０】
一方の開閉ドア４３のハーフミラー４５には、図３に示すように、開閉ドア４３自身が構造的に関係する上方の冷温スペース４１内の温度状況を制御するための４種のハーフミラースイッチ５１，５２，５３，５４が構成されている。
即ち、４種のハーフミラースイッチとは、温度上昇用のハーフミラースイッチ５１、温度降下用のハーフミラースイッチ５２、冷暖設定の決定用のハーフミラースイッチ５３、及び、電源ＯＮ／ＯＦＦ用のハーフミラースイッチ５４である。
各ハーフミラースイッチ５１，５２，５３，５４の構成は、上記実施の形態のハーフミラースイッチ１と同様の構成を有するため、ここでは各々の詳しい説明は省略する。
各ハーフミラースイッチ５１，５２，５３，５４をタッチ操作した場合は、その旨、図４に示す制御部７１が認識する。
制御部７１は、各ハーフミラースイッチ５１，５２，５３，５４の操作に応じて上方の冷温スペース４１内の冷温を直接的に制御するデバイスとして、冷却及び加熱が可能である電子素子としてのペルチェ素子（図４参照）７２を制御する。ペルチェ素子７２の制御は上方の冷温スペース４１内の温度を設定温度に近づけ、かつ設定温度を維持する制御である。
なお、ペルチェ素子７２は、冷温庫本体３１の任意の位置に装備して良いが、受熱面もしくは加熱面が上方の冷温スペース４１内に露出されていることが一例として好ましい。
【００２１】
また、一方の開閉ドア４３のハーフミラー４５の裏面側には、さらに、図３に示すように、上記各ハーフミラースイッチ５１，５２，５３，５４を操作した場合の上方の冷温スペース４１内の温度目標の値や実温度を表示するバックライトとしてのＬＥＤ等の表示手段（発光手段）５５が構成されている。
ＬＥＤ等の表示手段５５の発光は、開閉ドア４３のハーフミラー４５を透過するため、外界から見て一目で確認することが可能である。ハーフミラー４５のその発光を透過する領域が表示領域である。
制御部７１は、各ハーフミラースイッチ５１，５２，５３，５４が操作された場合、上方の冷温スペース４１内の温度目標の値や実温度の値を数字表示するＬＥＤ等の表示手段５５の表示状況をも制御する。
なお、電源ＯＮ／ＯＦＦ用のハーフミラースイッチ５４をＯＮ操作した場合は、制御部７１は、上方の冷温スペース４１内の図４に示すセンサ７３の出力を取り込みＬＥＤ等の表示手段５５の制御を通して冷温スペース４１内の実温度を表示させる。
センサ（図４参照）７３も、冷温庫本体３１の任意の位置に装備して良いが、受熱部が上方の冷温スペース４１内に露出されていることが好ましい。
【００２２】
もう一方の開閉ドア４４のハーフミラー４６には、図３に示すように、開閉ドア４４自身が構造的に関係する下方の冷温スペース４２内の温度状況を制御するための４種のハーフミラースイッチ５６，５７，５８，５９が構成されている。
即ち、４種のハーフミラースイッチとは、ここでも、温度上昇用のハーフミラースイッチ５６、温度降下用のハーフミラースイッチ５７、冷暖設定の決定用のハーフミラースイッチ５８、及び、電源ＯＮ／ＯＦＦ用のハーフミラースイッチ５９である。
各ハーフミラースイッチ５６，５７，５８，５９の構成も、上記実施の形態のハーフミラースイッチ１と同様の構成を有するため、ここでは各々の詳しい説明は省略する。
【００２３】
各ハーフミラースイッチ５６，５７，５８，５９をタッチ操作した場合は、その旨、図４に示す制御部７１が認識する。
制御部７１は、各ハーフミラースイッチ５６，５７，５８，５９の操作に応じて下方の冷温スペース４２内の冷温を直接的に制御するデバイスとして、冷却及び加熱が可能である電子素子としてのペルチェ素子（図４参照）７４を制御する。ペルチェ素子７４の制御は下方の冷温スペース４２内の温度を設定温度に近づけ、かつ設定温度を維持する制御である。
なお、ペルチェ素子７４も、冷温庫本体３１の任意の位置に装備して良いが、受熱面もしくは加熱面が下方の冷温スペース４２内に露出されていることが一例として好ましい。
【００２４】
また、もう一方の開閉ドア４４のハーフミラー４６の裏面側には、さらに、図３に示すように、上記各ハーフミラースイッチ５６，５７，５８，５９を操作した場合の下方の冷温スペース４２内の温度目標の値や実温度の値を数字表示するバックライトとしてのＬＥＤ等の表示手段（発光手段）６１が構成されている。
ＬＥＤ等の表示手段６１の発光は、開閉ドア４４のハーフミラー４６を透過するため、外界から見て同じく一目で確認することが可能である。ハーフミラー４６のその発光を透過する領域が表示領域である。
制御部７１は、各ハーフミラースイッチ５６，５７，５８，５９が操作された場合、下方の冷温スペース４２内の温度目標の値や実温度の値を数字表示するＬＥＤ等の表示手段６１の表示状況をも制御する。
なお、バックライトは、ハーフミラー４６の領域内等に任意数の任意の構成を用いて良く、各々の発光には任意の点滅制御を用いても良い。
【００２５】
一方、電源ＯＮ／ＯＦＦ用のハーフミラースイッチ５９をＯＮ操作した場合は、制御部７１は、下方の冷温スペース４２内の図４に示すセンサ７５の出力を取り込みＬＥＤ等の表示手段６１の制御を通して下方の冷温スペース４２内の実温度を表示させる。
また、センサ（図４参照）７５も、冷温庫本体３１の任意の位置に装備して良いが、受熱部が下方の冷温スペース４２内に露出されていることが好ましい。
本実施例の冷温庫２は、温度設定等の操作の利便性が高く、しかも光の装飾性でデザイン的にもより好ましい構成を実現することができ、しかもペルチェ素子を用いるため環境に悪影響を与えることがなく、この点からも実際の利用に際して利便性が高い。
【産業上の利用可能性】
【００２６】
本考案は、デザイン的に好ましいハーフミラースイッチの分野に利用することが可能であり、多くの物品としての飲料缶等を収容すべく上下２つの冷温スペースを便利に制御して室内のインテリア性を向上させ便利に利用できる冷温庫の分野に利用することが可能である。
【図面の簡単な説明】
【００２７】
【図１】本考案の実施の形態のハーフミラースイッチの構成を説明する説明図であり、同図（ａ）は正面図、同図（ｂ）は背面図、同図（ｃ）は断面図を示す。
【図２】本考案の実施の形態の冷温庫のドア開状態の内観構成を説明する斜視図である。
【図３】本考案の実施の形態の冷温庫のドア閉状態の外観構成を説明する斜視図である。
【図４】本考案の実施の形態の冷温庫の制御系の構成を示すブロック図である。
【符号の説明】
【００２８】
１    ハーフミラースイッチ
１１  絶縁体
１２  ハーフミラー
１２Ａ  塗料
１３  タッチ部
１４  絶縁領域
１４Ｂ  スリット
１５  基盤
１６  スリット
２１  端子
２２  配線
２    冷温庫
３１  冷温庫本体
３２  側壁体
３３  背面壁体
３４  上面壁体
３５  底面壁体
３６  水平区画壁体
４１，４２  冷温スペース
４１Ａ，４２Ａ  開放口
４３，４４  開閉ドア
４５，４６  ハーフミラー
５１，５２，５３，５４  ハーフミラースイッチ
５５  表示手段
５６，５７，５８，５９  ハーフミラースイッチ
６１  表示手段
７１  制御部
７２  ペルチェ素子
７３  センサ
７４  ペルチェ素子
７５  センサ
【図１】
0003130225.tif 000003
【図２】
0003130225.tif 000004
【図３】
0003130225.tif 000005
【図４】
0003130225.tif 000006
【手続補正書】
【提出日】平成19年1月17日(2007.1.17)
【手続補正１】
【補正対象書類名】実用新案登録請求の範囲
【補正対象項目名】全文
【補正方法】変更
【補正の内容】
【実用新案登録請求の範囲】
【請求項１】
ハーフミラーの構成を有するタッチ部と、
ハーフミラーの前記タッチ部の周囲における金属粉のない絶縁領域と、
前記タッチ部の裏面側に接続された通電体と、
前記金属粉のない絶縁領域の裏面側に塗布された非高反射性又は高反射性の塗料と、
を有することを特徴とするハーフミラースイッチ。
【請求項２】
冷却保温または加熱保温が可能である冷温庫であって、
所定の物品を収容し得る互いに断熱部で隔離された複数の冷温スペースと、
前記複数の冷温スペースに対し個々に開閉可能であるとともに、少なくとも一部表面に、ハーフミラーを有する複数の開閉ドアと、
を備え、
前記各開閉ドアの前記ハーフミラーに、前記冷温スペースの冷温を制御する請求項１に記載のハーフミラースイッチと、前記冷温スペース内の温度を数値表示する表示領域と
を有することを特徴とする冷温庫。
【請求項３】
前記ハーフミラースイッチとして、自身が構造的に関係する前記冷温スペースに対し、温度上昇、温度降下、冷暖設定の決定、及び電源ＯＮ／ＯＦＦを行い得る４種のハーフミラースイッチを用いることを特徴とする請求項２に記載の冷温庫。
【請求項４】
前記ハーフミラーの少なくとも任意の一部領域の裏面側にバックライトを有することを特徴とする請求項２又は３に記載の冷温庫。
【請求項５】
前記ハーフミラーの前記各ハーフミラースイッチの操作に応じて、前記数値表示の制御、前記各冷温スペースの温度制御、及び前記バックライトの発光制御を行う制御部を備えることを特徴とする請求項２乃至４の何れかに記載の冷温庫。
【請求項６】
前記冷温を直接的に制御するデバイスに、冷却及び加熱が可能である電子素子を用いることを特徴とする請求項２乃至５の何れかに記載の冷温庫。